(57)【要約】      （修正有）【課題】自動車のエンジンに蓄積したカーボンを除去して洗浄し、自動車本来の機能を発揮し、スムーズな加速と静かなエンジン音を実現し、かつ、燃費を改善し、また、車内の空気を除菌しかつ消臭して、車内環境を改善する自動車洗浄装置を提供する。【解決手段】水素及びオゾンを自動車のエンジンに送り込み、熱と化学変化を通して、エンジンに蓄積したカーボンを除去して洗浄し、また、オゾン及びマイナスイオンを自動車内に噴霧・拡散して、車内を除菌しかつ消臭するために、水素発生機３とオゾン及びマイナスイオン発生機５をそれぞれ台車１１の棚に縦列に配置した。【選択図】図１
0003206890.tif 000002
【実用新案登録請求の範囲】
【請求項１】
水素及びオゾンを自動車のエンジンに送り込み、熱と化学変化を通してエンジンに蓄積されたカーボンを除去して洗浄し、または、オゾン及びマイナスイオンを自動車の車内に噴霧・拡散して除菌しかつ消臭するために、水素発生機とオゾン及びマイナスイオン発生機を組み合わせて併設した、自動車洗浄装置。
【考案の詳細な説明】
【技術分野】
【０００１】  この考案は、自動車のエンジン及び車内の洗浄装置である。
【背景技術】
【０００２】  自動車の運転に伴う問題がある。一つは、走行距離に応じて、エンジンの内部にカーボン（燃料の燃えカス）が蓄積し、他は、タバコや食べ物の匂い、また、風邪等の菌やウイルスによって車内の空気が汚れることである。【０００３】  エンジンにカーボンが蓄積すると、燃費が落ち、加速が悪くなり、エジン音が大きくなり、エンジンの不調の原因となる。また、車内の空気が清浄ではなければ、快適な運転を持続するのが困難となる。【０００４】  そこで、自動車のエンジンに蓄積されたカーボンを除去して洗浄し、また、車内の空気を除菌しかつ消臭して洗浄し、車内環境を改善することが課題となる。従来、これらは別々の課題として取り扱われて来た。【０００５】  従来、オゾン発生機をもって自動車内を洗浄し、また、エンジンの洗浄については、添加剤を燃焼してエンジンに蓄積したカーボンを除去して洗浄するのが一般的であった。【０００６】  ところが、洗浄の施工にあたり、いくつかの難点がある。洗浄の施行前、燃料ラインに接続する吸気側（インテーク）への配管等を準備し、また、添加剤の燃焼に伴う排気ガスの異臭を避けるために施工場所を選択する必要がある。
【考案の開示】
【考案が解決しようとする課題】
【０００７】  この考案が解決しようする問題点は、次の通りである。【０００８】  先ず、自動車のエンジンの内部に蓄積したカーボンはエンジン不調の原因となり、自動車本来のパワー・燃費等の性能を発揮できなくなるので、カーボンを除去して洗浄する必要がある。【０００９】  次に、従来の添加剤の燃焼により洗浄するならば、施工前、燃料ラインに機材を接続する吸気側（インテーク）への配管等の準備、また、排気ガスの異臭を避けるための施工場所の選択を必要とする。【００１０】  更に、自動車のエンジンに蓄積したカーボンを除去して洗浄するにあたり、環境にも優しくするためには、水素によってカーボンに化学変化を起こさせ、かつ、オゾンによって理想的に水素を完全燃焼させることである。【００１１】  更に、風邪等の菌やウイルスを除菌しかつタバコや食べ物の匂いを消臭して、自動車内の環境を改善するためには、オゾンのみならず、マイナスイオンをも自動車の車内に噴霧・拡散することである。【００１２】  最後に、自動車のエンジンに蓄積したカーボンを除去する装置と、車内の汚れた空気を除菌かつ消臭する装置を別々に設置するよりも、これらの装置を組合せて併設すれば便利で効率的である。
【課題を解決するための手段】
【００１３】  この考案が解決する手段は、次の通りである。【００１４】  先ず、自動車のエンジンの内部に水素及びオゾンを送り込み、水素をもってカーボンを化学変化させ、また、オゾンをもって水素を完全燃焼させて、エンジンに蓄積したカーボンを除去して洗浄する、水素発生機（３）とオゾン発生機（５）である。
次に、自動車の車内にオゾン及びマイナスイオンを噴霧・拡散して、オゾンをもって殺菌しかつ消臭し、また、マイナスイオンをもって空気を清浄化して自動車の車内環境を改善する、オゾン及びマイナスイオン発生機（５）である。【００１５】  最後に、水素発生機（３）と、オゾン及びマイナスイオン発生機（５）を組合せて、自動車エンジンのカーボンの除去にも、車内空気の除菌かつ消臭にも使用できる自動車洗浄装置（１）である。
【考案を実施するための形態】
【００１６】  この考案の実施の形態は、次の通りである
【００１７】  図１に示すように、水素発生機（３）とオゾン及びマイナスイオン発生機（５）を組合せた自動車洗浄装置（１）である。
【考案の効果】
【００１８】  この考案の効果は、次の通りである。
【００１９】  先ず、この考案による装置（１）は、カーボンの除去にあたり、水素及びオゾンを使用するだけで、従来と異なり添加剤を一切使用しないので、施工が簡単でありしかも無臭であり、また、環境にも優しいものである。
【００２０】  次に、この装置（１）は、エンジン内からカーボンを完全に排出するので、自動車本来の性能を発揮し、スムーズな加速と静かなエンジン音を実現し、快適な走りを取り戻し、また、燃費を向上することができる。
【００２１】  更に、この装置（１）は、オゾン及びマイナスイオンの相乗効果に伴って、比類なき程の強力な除菌と消臭の効果を生み出すので、風邪等の菌やウイルスを除菌しかつタバコや食べ物の匂いを消臭して、快適な車内環境をつくり出すことができる。
【００２２】  最後に、水素発生機（３）とオゾン及びマイナスイオン発生機（５）を組合せて併設しているので、カーボンの除去、また、車内空気の除菌や消臭にあたり、別々の装置を用いるよりも、便利でかつ効率的な使用ができる。
【図面の簡単な説明】
【００２３】
【図１】  この考案に係る水素発生機（３）とオゾン及びマイナスイオン発生機（５）を組み合わせた自動車洗浄装置（１）の斜視図である。
【図２】  この考案に係る水素発生機（３）を運転した時の図である。
【図３】  この考案に係るオゾン及びマイナスイオン発生機（５）を運転した時の図である。
【図４】  この考案に係るオゾン及びマイナスイオン発生機（５）を運転した時の図である。
【符号の説明】
【００２４】  １  自動車洗浄装置
２  エンジン
３  水素発生機
４  水素取出口
５  オゾン及びマイナスイオン発生機
６  オゾン取出口
７  マイナスイオン取出口
８  エバポレーター
９  ハンドル
１０  ホース
１１  台車
【実施例】
【００２５】この考案の実施例は、次の通りである。
この考案は、自動車洗浄装置（１）である。自動車エンジンに蓄積したカーボンを除去し、または、車内の汚れた空気を除菌しかつ消臭して洗浄する装置である。【００２６】  先ず、水素発生機（３）とオゾンの発生機（５）をもって、自動車のエンジンを洗浄する。いずれも、一般に市販されている機器でよい。これらの機器を軽金属製の箱の内部に配置する。これらの機器を調整するために、箱の正面には開閉式の扉を付する。【００２７】  水素発生機（３）には、水素の取出口（４）を設置する。また、オゾン発生機（５）は、オゾン及びマイナスイオン発生機（５）を兼用する。水素とオゾンを通すためのホース（１０）をそれぞれ備置する。【００２８】  水素取出口（４）とオゾン取出口（６）から水素とオゾンをそれぞれホースに通して、自動車のエンジン（２）吸気口からエンジン（２）内部に酸水素ガス（ＨＨＯガス）として送り込み、熱と化学変化によってカーボンを排出させる。【００２９】  次に、オゾン発生機及びマイナスイオン発生機（５）をもって、自動車内の空気を洗浄する。いずれも、一般に市販されている機器でよい。これらの機器を軽金属製の箱の内部に配置する。これらの機器を調整するために、箱の正面には開閉式の扉を付する。【００３０】  オゾン及びマイナスイオン発生機（５）には、オゾン取出口（６）とマイナスイオン取出口（７）を設置して、オゾンとマイナスイオンを別々に使用する。これに対応するために、それぞれ別々にホース（１０）を備置する。【００３１】  オゾン及びマイナスイオン発生機（５）は、台車（１１）の棚に設置したままの状態で運転し、あるいは、車内の椅子等の適当な場所に設置して運転してもよい。この装置は、自動車の車内洗浄に限らず、住居等の建物の室内を洗浄するためにも用いてもよい。【００３２】  オゾン取出口（６）とマイナスイオン取出口（７）から通したホース（１０）をエアコンエバポレーター（８）のドレーンホースへ繋いで、エバポレーター（８）を除菌しかつ消臭する。また、自動車内のエアコンフィルターを外して、エバポレーター（８）に通すホース（１０）をもって直接に噴霧・拡散して、車内の空気を除菌しかつ消臭する。【００３３】  最後に、水素発生機（３）とオゾン発生機及びマイナスイオン発生機（５）を台車（１１）の棚にそれぞれ別々に設置する。この位置で使用し、あるいは、必要に応じて、これらの機器に備え付けられたハンドル（９）を持って引き出して運転してもよい。
【図１】
0003206890.tif 000003
【図２】
0003206890.tif 000004
【図３】
0003206890.tif 000005
【図４】
0003206890.tif 000006
【手続補正書】
【提出日】平成28年6月2日(2016.6.2)
【手続補正１】
【補正対象書類名】実用新案登録請求の範囲
【補正対象項目名】請求項１
【補正方法】変更
【補正の内容】
【請求項１】
水素及びオゾンを自動車のエンジンに送り込み、熱と化学変化を通してエンジンに蓄積されたカーボンを除去して洗浄し、または、オゾン及びマイナスイオンを自動車の車内に噴霧・拡散して除菌しかつ消臭するために、水素発生機とオゾン及びマイナスイオン発生機をそれぞれ台車の棚に縦列に配置した状態で組合せた、自動車洗浄装置。